(57)【要約】【課題】災害時の避難所等において、就寝や着替え等に適したプライベート空間を迅速に構築できに、構造的に極めて簡素で組立・解体が容易であり、解体状態での嵩が低く保管時や運搬時の省スペースを図り得る仮設式ベッドルームを提供する。【解決手段】ルーム四隅の柱材１１の上端部間及び下端部間に梁材１２Ａ，１２Ｂが架設された横長直方体形状のルーム骨格１と、ルーム骨格１に套嵌するフード２と、床パネル３とを備える。フード２は、伸縮可能な筒袋状のフード本体２１と、四隅に梁挿通孔２２を有する後面材２３と、止着手段２５とを備え、後面材２３の各梁挿通孔２２にルーム骨格１の各梁材１２Ａを挿通して、止着手段２５によってルーム骨格１の後端側に止着した状態で、フード本体２１をルーム骨格１に伸縮自在に套嵌する。床パネル３は、フード２の内側でルーム骨格１の下部の梁材１２Ａに支承される。【選択図】図１
2011058340.tif 000002
【特許請求の範囲】
【請求項１】
横長直方体形状のルーム骨格と、このルーム骨格に対して長手方向に套嵌するフードと、床パネルとを備え、
前記ルーム骨格はルーム四隅の柱材の上端部間及び下端部間に梁材が架設されてなり、
前記フードは、伸縮可能な筒袋状のフード本体と、該フード本体の後端に取り付けられて四隅に梁挿通孔を有する後面材と、ルーム骨格の後端側に対する止着手段とを備え、
該フードが、後面材の各梁挿通孔にルーム骨格の長手方向に沿う各梁材を挿通して、且つ止着手段によってルーム骨格の後端側に止着した状態で、フード本体をルーム骨格に伸縮自在に套嵌すると共に、前記床パネルが該フードの内側でルーム骨格の下部の梁材に支承されるように構成されてなる仮設式ベッドルーム。
【請求項２】
ルーム骨格の柱材及び梁材がパイプ材からなる請求項１に記載の仮設式ベッドルーム。
【請求項３】
フードのフード本体が蛇腹状をなす請求項１又は２に記載の仮設式ベッドルーム。
【請求項４】
フードの後面材がパネル材にて構成されてなる請求項１〜３のいずれかに記載の仮設式ベッドルーム。
【請求項５】
フードのフード本体の前端に出入口枠が取り付けられてなる請求項１〜４のいずれかに記載の仮設式ベッドルーム。
【請求項６】
出入口枠に開閉可能な出入口遮蔽シートが設けられてなる請求項５に記載の仮設式ベッドルーム。
【請求項７】
請求項１〜６のいずれかに記載の仮設式ベッドルームを１ユニットとして、上下又は／及び左右に連設するユニット同士がフードの外側に露呈した前記ルーム骨格の前後両端部で相互に連結されてなる請求項１〜６のいずれかに記載の仮設式ベッドルームの連設構造。
【発明の詳細な説明】
【技術分野】
【０００１】  この発明は、災害時の一時的避難、応急的事情による短期滞在、山野の如き特殊環境での一時的滞在等に使用する仮設式ベッドルームと、その複数基の連設構造に関する。
【背景技術】
【０００２】  我が国における自然災害の被災地では、一般的に避難所として学校の体育館や公民館等の広いフロアを有する公的施設が多用されるが、地震や火山噴火等の大規模な自然災害になると、数カ月を越えるような長期間の避難生活を強いられることも珍しくない。その間、避難住民は、互いに顔を突き合わせてプライバシーのない状態が続くため、大きなストレスを受けて精神的に参ってしまったり、不眠症に陥ったりすることが多々ある。【０００３】  このような避難所生活でのストレスを緩和するには、特に就寝や着替え等で人目を遮断できるプライベート空間を確保する必要があるが、衝立や段ボール等の有り合わせの材料でフロアを家族単位等に仕切っても開けっ広げの状況は変わらない。また、仕切りにカーテンを用いるにしても、それを吊るす針金やロープを広いフロア空間に縦横に張り巡らす必要があり、その配線と支えの構築に多大な労力と時間を要するために実際には非常に難しい。更に，キャンピング用のテントは、元来より地面に設営するための構造を持つため、公園や空き地等の屋外にはよいが、避難所のフロアでの使用には無理がある。
【発明の開示】
【発明が解決しようとする課題】
【０００４】  従来より自然災害が発生する都度、マスコミによってプライバシーのない避難所暮らしの苦労が取り沙汰されるが、それに対して何ら有効な対策が講じられないままに今日に至っている。この発明は、係る状況に鑑み、災害時の避難所等において、就寝や着替え等に適したプライベート空間を迅速に構築できると共に、構造的に極めて簡素で組立・解体が容易であり、また解体状態での嵩が低く保管時や運搬時の省スペースを図り得る仮設式ベッドルームを提供することを目的としている。
【課題を解決するための手段】
【０００５】  上記目的を達成するために、請求項１の発明に係る仮設式ベッドルームは、横長直方体形状のルーム骨格と、このルーム骨格に対して長手方向に套嵌するフードと、床パネルとを備え、前記ルーム骨格はルーム四隅の柱材の上端部間及び下端部間に梁材が架設されてなり、前記フードは、伸縮可能な筒袋状のフード本体と、該フード本体の後端に取り付けられて四隅に梁挿通孔を有する後面材と、ルーム骨格の後端側に対する止着手段とを備え、該フードが、後面材の各梁挿通孔にルーム骨格の長手方向に沿う各梁材を挿通して、且つ止着手段によってルーム骨格の後端側に止着した状態で、フード本体をルーム骨格に伸縮自在に套嵌すると共に、前記床パネルが該フードの内側でルーム骨格の下部の梁材に支承されるように構成されてなる。【０００６】  請求項２の発明は、上記請求項１の仮設式ベッドルームにおいて、ルーム骨格の柱材及び梁材がパイプ材からなるものとしている。【０００７】  請求項３の発明は、上記請求項１又は２の仮設式ベッドルームにおいて、フードのフード本体が蛇腹状をなすものとしている。【０００８】  請求項４の発明は、上記請求項１〜３のいずれかの仮設式ベッドルームにおいて、フードの後面材がパネル材にて構成されてなるものとしている。【０００９】  請求項５の発明は、上記請求項１〜４のいずれかの仮設式ベッドルームにおいて、フードのフード本体の前端に出入口枠が取り付けられてなるものとしている。【００１０】  請求項６の発明は、上記請求項５の仮設式ベッドルームにおいて、出入口枠に開閉可能な出入口遮蔽シートが設けられてなる構成としている。【００１１】  請求項７の発明に係る仮設式ベッドルームの連設構造は、上記請求項１〜６のいずれかの仮設式ベッドルームを１ユニットとして、上下又は／及び左右に連設するユニット同士がフードの外側に露呈したルーム骨格の前後両端部で相互に連結されてなるものとしている。
【発明の効果】
【００１２】  請求項１の発明に係る仮設式ベッドルームによれば、四隅の柱材と梁材とを連結して横長直方体形状のルーム骨格を形成すると共に、フードの後面材の各梁挿通孔にルーム骨格の長手方向に沿う各梁材を挿通し、当該ルーム骨格の後端側に止着した状態でフード本体をルーム骨格に套嵌する一方、床パネルを該フードの内側でルーム骨格の下部の梁材に支承することにより、内部がプライベート空間として周囲から遮断された個室を簡単に且つ迅速に構築できる。従って、例えば自然災害の被災地における避難所に該仮設式ベッドルームを設置すれば、これを利用して避難者が人目を気にせずに就寝や着替え等を行えるから、避難生活のストレス緩和に大きく貢献できる。また、宿泊室のない場所で応急的事情によって泊まり込んだり、山野の如き特殊環境での一時的滞在を要する場合等でも、この仮設式ベッドルームを利用すれば、無理なく就寝を取ることができる。【００１３】  更に、この仮設式ベッドルームは、ルーム骨格とフードと床パネルとで構成されて構造的に極めて簡素であり、安価に製作できる上、容易に組立・解体を行える。そして、ルーム骨格は柱材と梁材とに分解できると共に、フードも筒袋状のフード本体を後面材側に引き付けて前後長さを著しく減じた収縮状態にできるから、解体状態での嵩が低く、狭い場所でも多数基を保管できる上、運搬も容易になり、例えば災害が発生した際にトラック等に多数基を積み込んで災害地へ迅速に搬送できる。【００１４】  請求項２の発明によれば、ルーム骨格の柱材及び梁材がパイプ材からなるため、軽量で高強度のルーム骨格を低コストで構築できると共に、一般的なパイプ継手を利用して相互の端部を容易に連結・分離できる。【００１５】  請求項３の発明によれば、フードのフード本体が蛇腹状をなすから、ルーム骨格に套嵌した状態でスムーズに伸縮操作できる上、伸長状態及び収縮状態での外観がすっきりして見栄えがよい。【００１６】  請求項４の発明によれば、フードの後面材がパネル材にて構成されているから、該後面材に内部の使用者が壁として凭れ得る強度を持たせることができると共に、該フードの後面側が整った外観になる。【００１７】  請求項５の発明によれば、フード本体の前端に設けた出入口枠により、出入口周囲が変形しないがっしりとした構造になって出入りし易い。【００１８】  請求項６の発明によれば、上記の出入口枠に開閉可能な出入口遮蔽シートが設けてあるから、着替え時等の必要に応じて出入口を遮断して内部を完全なプライペート空間にすることができる。【００１９】  請求項７の発明によれば、上下又は／及び左右に連設する仮設式ベッドルームのユニット同士が、フードの外側に露呈したルーム骨格の前後両端部で相互に連結されるから、連結の作業性がよい上、連設状態での外観体裁も非常に良好となる。
【図面の簡単な説明】
【００２０】
【図１】この発明の一実施形態に係る仮設式ベッドルームの二段設置状態を示す側面図である。
【図２】同二段設置状態の正面図である。
【図３】同仮設式ベッドルームに用いるフードの斜視図である。
【図４】同フードにおけるフード本体の要部の縦断側面図である。
【図５】同仮設式ベッドルームの床パネルの取付状態を示す縦断正面図である。
【図６】同仮設式ベッドルームにおけるフード前面の出入口カバーの一例を示す縦断正面図である。
【図７】同出入口カバーの他の例を示す縦断正面図である。
【発明を実施するための形態】
【００２１】  図１及び図２で示す仮設式ベッドルームは、その二つのユニットＵ１，Ｕ２が上下二段に配置している。そして、両ユニットＵ１，Ｕ２は、基本的に、鋼管の如きパイプ材にて構築された横長直方体形状のルーム骨格１と、このルーム骨格１に対して長手方向に套嵌するフード２と、床パネル３とで構成されている。
【００２２】  ルーム骨格１は、その長手方向一端側を前として、前後左右のルーム四隅に配置する４本の柱材１１、前後の柱材１１の上端部間及び下端部間に架設された前後方向に沿う長い４本の梁材１２Ａ、前後両側において左右の柱材１１の上端部間及び下端部間に架設された左右方向に沿う短い４本の梁材１２Ｂ、これら柱材１１と梁材１２Ａ，１２Ｂとの連結部に介在する３方〜５方管継手１３Ａ〜１３Ｃよりなる。そして、柱材１１と短い梁材１２Ｂは略同長に設定されており、これによってルーム骨格１の前後端が正方形の枠型をなしている。
【００２３】  上下のユニットＵ１，Ｕ２のルーム骨格１，１同士は、ルーム四隅における上下の柱材１１，１１間に、前部左右では上側の５方管継手１３Ｃと下側の４方管継手１３Ｂを介して、後部左右では上下両側の４方管継手１３Ｂ，１３Ｂを介して、それぞれ接続短管１４を同軸状に連結することにより、所要の上下間隔を持つ形で連結一体化されている。また、下側ユニットＵ２のルーム骨格１は、ルーム四隅の各柱材１１の直下に４方管継手１３Ｂを介して連結したアジャスター１５により、個別に高さ調整可能に接地している。
【００２４】  上側ユニットＵ１におけるルーム骨格１の前端下部には、左右の各梁材１２Ａと同軸に前方へ突出する支持短管１６，１６が各々５方管継手１３Ｃを介して連結され、これら支持短管１６，１６の先端間に左右方向の梁材１２Ｃを架設することにより、平面視コ字形のフロントステップ受け枠１７を構成している。一方、下側ユニットＵ２におけるルーム骨格１の前端左側には、上側ユニットＵ１に対する昇り降り用の４段踏み板型のサイドステップ４が取り付けられている。
【００２５】  フード２は、図３でも示すように、伸縮可能な四角い筒袋状のフード本体２１と、該フード本体２１の後端に固着されて四隅に梁挿通孔２２を有する正方形の板体からなる後面材２３と、該フード本体２１の前端に固着された正方形の出入口枠２４と、止着手段として後面材２３及び出入口枠２４の左右側面部の各上下２カ所に取り付けた巻留め帯片２５とで構成されている。そして、フード本体２１は、図４で示すように、帆布の如き厚地の布材２１ａが蛇腹状に癖付けられ、その蛇腹状の各稜部の内側に針金の如き硬質の芯線２１ｂが縫い込まれている。また、各巻留め帯片２５も帆布の如き厚地の布材からなり、その基端部と先端部とに相互に嵌着するホック２５ａ，２５ｂが縫い付けられている。
【００２６】  このようなフード２をルーム骨格１に取り付けるには、柱材１１と梁材１２Ａ，１２Ｂとを連結して該ルーム骨格１を構築する際、図３で示すフード本体２１の収縮状態において、後面材２３の各梁挿通孔２２に前後方向に沿う各梁材１２Ａを挿通して、これら４本の梁材１２Ａの外側にフード本体２１を套嵌する。そして、該ルーム骨格１の構築中もしくは構築後に、後端側の各巻留め帯片２５を後側左右の柱材２１に巻き付けてホック２５ａ，２５ｂを嵌着することにより、後端側を該ルーム骨格１に止着した上で、前端側を前方へ引いてフード本体２１を伸長させ、その前端側の各巻留め帯片２５を前側左右の柱材２１に巻き付けてホック２５ａ，２５ｂを嵌着することにより、後端側も該ルーム骨格１に止着する。
【００２７】  なお、図１の二段設置構造におけるフード本体２１は、上側ユニットＵ２では伸長状態、下側ユニットＵ１では収縮状態として示している。この図１から明らかなように、ユニットＵ１，Ｕ２のルーム骨格１，１同士は、伸長状態のフード本体２１の外側に露呈した前後両端部で相互に連結した形になっている。
【００２８】  床パネル３は、図５でも示すように、厚肉合板からなるパネル本体３１の前後二カ所の下面側に、該パネル本体３１の幅方向に沿う帯状金属板からなる嵌合金具３２がビス３３によって固着されている。各嵌合金具３２は左右両端部に下向きに湾曲した円弧状の抱持部３２ａを有しており、ルーム骨格１の下側左右の梁材１２Ａ，１２Ａ上にパネル本体３１を載せ、各嵌合金具３２の両側の抱持部３２ａ，３２ａを材料弾性によって両梁材１２Ａ，１２Ａの外側に強制跨嵌させることにより、当該床パネル３をルーム骨格１に固定できるようになっている。
【００２９】  しかして、上側ユニットＵ１に用いる床パネル３は、下側ユニットＵ２に用いるものよりも長く設定されており、図１及び図２で示すように、その長い分だけ前方へ突出した前部３ａがフロントステップ受け枠１７上に載置されることにより、上側ユニットＵ１の出入口前のフロントステップ５を構成している。なお、上下の両ユニットＵ１，Ｕ２の床パネル３，３は共に、図示を省略しているが、前部左右の柱材１１の位置において当該柱材１１を嵌入させる切欠が設けてある。
【００３０】  上記構成の仮設式ベッドルームによれば、四隅の柱材１１と梁材１２Ａ，１２Ｂとからなる横長直方体形状のルーム骨格１と、このルーム骨格１に套嵌するフード２と、床パネル３により、内部がプライベート空間として周囲から遮断された個室を簡単に且つ迅速に構築できる。従って、例えば自然災害の被災地における避難所に該仮設式ベッドルームを設置すれば、これを利用して避難者が人目を気にせずに就寝や着替え等を行えるから、避難生活のストレス緩和に大きく貢献できる。また、事務所や工場、学校、イベント会場等の宿泊室のない場所で応急的事情によって泊まり込んだり、山野の如き特殊環境での一時的滞在を要する場合等でも、この仮設式ベッドルームを利用すれば、無理なく就寝を取ることができる。
【００３１】  更に、この仮設式ベッドルームは、ルーム骨格１とフード２と床パネル３とで構成されて構造的に極めて簡素であり、安価に製作できる上、容易に組立・解体を行える。そして、ルーム骨格１は柱材１１、梁材１２Ａ〜１２Ｃ、管継手１３Ａ〜１３Ｄ、接続短管１４等の部材単位に分解できると共に、フード２も筒袋状のフード本体２１を後面材２３側に引き付けて図３の如く前後長さを著しく減じた収縮状態にでき、解体状態での嵩が非常に低くなるから、狭い場所でも多数基を保管できる上、運搬も容易になる。従って、例えば地方自治体や国指定の拠点等において、この仮設式ベッドルームを解体状態で倉庫等に備蓄しておけば、災害発生時、トラック等に多数基を積み込んで災害地の避難所等に搬送して迅速に対応することが可能であり、また仮設式ベッドルーム自体は繰り返し使用できるので費用負担も少なくて済む。
【００３２】  また、実施形態のように、ルーム骨格１の柱材１１や梁材１２Ａ〜１２Ｃにパイプ材を用いることにより、軽量で高強度のルーム骨格１を低コストで構築できると共に、管継手１３Ａ〜１３Ｄの如き一般的なパイプ継手を利用して相互の端部を容易に連結・分離できるという利点がある。。
【００３３】  フード２のフード本体１については、帆布等よりなる単なる筒袋状に形成してもよいが、実施形態の如く蛇腹状とすれば、ルーム骨格１に套嵌した状態でスムーズに伸縮操作できる上、伸長状態及び収縮状態での外観がすっきりして見栄えがよい。また、該フード２の後面材２３についても、フード本体１と同様の帆布等で形成できるが、実施形態の如くパネル材にて構成することにより、内部の使用者が壁として凭れ得る強度を持たせることができると共に、フード２の後面側が整った外観になるという利点がある。更に、実施形態のようにフード本体２１の前端に出入口枠２４を設けることにより、仮設式ベッドルームの出入口周囲が変形しないがっしりとした構造になるから、使用者が出入りし易くなる。更に、フード２の前端の出入口については、開放式でもよいが、内部を完全なプライペート空間にするために、図６及び図７に例示するように、出入口枠２４に開閉可能な出入口遮蔽シート６，７を設けてもよい。
【００３４】  図６に示す出入口遮蔽シート６は、各々外側縁を出入口枠２４に固着した帆布等よりなる左右一対の扉シート６１，６２から構成され、一方の扉シート６１の内側縁の上下に設けた止着片６１ａ，６１ａを圧着ファスナー６４ａを介して他方の扉シート６２の内縁側外面に止着すると共に、両扉シート６１，６２を上縁部で出入口枠２４側の止着片６３に止着することにより、出入口を遮蔽できるようになっている。また、他方の扉シート６２には窓部６５が形成され、出入口の遮蔽状態で該窓部６５を通して内外の一方から他方を覗くことができると共に、内側に設けた窓遮断シート６６を圧着ファスナー６４ｃを介して止着するすることで該窓部６５を内側から遮断できるようにしている。
【００３５】  図７に示す出入口遮蔽シート７は、全周を出入口枠２４に固着した一枚物の帆布より構成され、ファスナー７１にて開閉する中央の大きなコ字形の開裂部によって出入扉部７ａが形成されると共に、やや側方にファスナー７２にて開閉する小さなコ字形の開裂部からなる覗き窓部７ｂが形成されている。
【００３６】  一方、この発明の仮設式ベッドルームは、図示を省略しているが、そのユニットの複数基を横方向（左右方向）にも連設できる。この横方向の連設では、例えば図１及び図２で示すユニットＵ１，Ｕ２の上下二段の連結に用いた接続短管１４と、両図のものよりも接続数が一つ多い管継手とを使用し、左右に隣接するユニット同士を各柱材１１の上下部で連結一体化すればよい。しかして、このように上下又は／及び左右に連設する仮設式ベッドルームのユニット同士は、フード２の外側に露呈したルーム骨格１の前後両端部で相互に連結できるから、その連結操作における作業性がよく、連設状態での外観体裁も非常に良好である。
【００３７】  なお、ルーム骨格１における柱材１１や梁材１２Ａ〜１２Ｃ、とりわけ長尺になる前後方向の梁材１２Ａは、複数本のパイプ材によって分割構成し、これらパイプ材同士を適当な連結手段で連結する形にしてもよい。また、ルーム骨格１に対するフード２の止着手段としては、例示したホック２５ａ，２５ｂ付きの巻留め帯片２５以外の種々の止着方式を採用できる。その他、ルーム骨格１における柱材１１と梁材１２Ａ〜１２Ｃを繋ぐ管継手の形態、ルーム骨格１に対する床パネル３の取付構造、サイドステップ４及びフロントステップ５の形態等、細部構成については実施形態以外に種々設計変更可能である。
【符号の説明】
【００３８】１・・・・・・・・ルーム骨格
１１・・・・・・・柱材
１２Ａ〜１２Ｃ・・梁材
１３Ａ〜１３Ｄ・・管継手
１４・・・・・・・接続短管
２・・・・・・・・フード
２１・・・・・・・フード本体
２２・・・・・・・梁挿通孔
２３・・・・・・・後面材
２４・・・・・・・出入口枠
２５・・・・・・・巻留め帯片（止着手段）
３・・・・・・・・床パネル
６，７・・・・・・出入口遮蔽シート
【図１】
2011058340.tif 000003
【図２】
2011058340.tif 000004
【図３】
2011058340.tif 000005
【図４】
2011058340.tif 000006
【図５】
2011058340.tif 000007
【図６】
2011058340.tif 000008
【図７】
2011058340.tif 000009